(57)【要約】      （修正有）【課題】除去ブラシの大きさを大きくすることなく塵埃を収集する量を多くする。【解決手段】空気調和機は、除去回収手段が、掃除用刷毛で掃き取った塵埃を受け取る除去ブラシ面部３０ａを有する半円筒状の除去ブラシ３０と、除去ブラシ３０の外方に位置して設けられ掃除用刷毛の塵埃を掻き取る塵埃除去部材３０ｅと、掃除用刷毛を除去ブラシ面部３０ａに摺接させる刷毛摺接手段と、除去ブラシ面部３０ａに受け取られた塵埃を掻き取る塵埃戻り防止ブラシ３２と、除去ブラシ面部３０ａを塵埃戻り防止ブラシ３２に摺接させるブラシ摺接手段と、塵埃戻り防止ブラシ３２で掻き取られた塵埃を貯留する集塵部とを備え、塵埃除去部材３０ｅは、その中心線３０kが除去ブラシ３０の回動中心３２ｇを通る位置から平行にずらして配置されている。【選択図】図１１
2012112550.tif 000002
【特許請求の範囲】
【請求項１】
空気吸込み口および空気吹出し口を有する筐体と、前記筐体内に配置された熱交換器と、前記熱交換器の空気吸込み側に配置されたフィルタと、室内の空気を前記空気吸込み口より吸い込んで前記フィルタおよび前記熱交換器を通して前記空気吹出し口より吹出す送風ファンと、前記フィルタに捕集された塵埃を除去する清掃装置とを、備えた空気調和機であって、
前記清掃装置は、前記フィルタに沿って移動して当該フィルタに捕集された塵埃を掃き取る掃除用刷毛と、前記掃除用刷毛で掃き取られた塵埃を除去して回収する除去回収手段とを備え、
前記除去回収手段は、前記掃除用刷毛で掃き取られた塵埃を受け取る除去ブラシ面部を有する半円筒状の除去ブラシと、前記除去ブラシにその外方に位置して設けられ前記掃除用刷毛の奥側の塵埃を前記除去ブラシの回動により掻き取る塵埃除去部材と、前記掃除用刷毛を前記除去ブラシの除去ブラシ面部に摺接させる刷毛摺接手段と、前記除去ブラシ面部に受け取られた塵埃を前記除去ブラシの回動により掻き取る塵埃戻り防止ブラシと、前記除去ブラシの除去ブラシ面部を前記塵埃戻り防止ブラシ側に回動させて前記除去ブラシ面部を前記塵埃戻り防止ブラシに摺接させるブラシ摺接手段と、前記塵埃戻り防止ブラシで掻き取られた塵埃を貯留する集塵部とを備え、
前記塵埃除去部材は、前記除去ブラシ面部の面積が大きくなるように、その中心線が前記除去ブラシの回動中心を通る位置から平行にずらして配置される
ことを特徴とする空気調和機。
【発明の詳細な説明】
【技術分野】
【０００１】
本発明は、空気調和機に係り、特に空気中の塵埃を捕集したフィルタの塵埃を自動的に回収する装置を備える空気調和機に関する。
【背景技術】
【０００２】
従来、空気調和機は、上部および前部の空気吸込み口および下部の空気吹出し口を有する筐体と、筐体内に配置された熱交換器と、熱交換器の空気吸込み側に配置されたフィルタと、室内空気を空気吸込み口より吸い込んでフィルタおよび熱交換器を通してから空気吹出し口より吹出す送風ファンと、フィルタに捕集された塵埃を除去する清掃装置とを備える。
【０００３】
この清掃装置は、フィルタに沿って移動して当該フィルタに捕集された塵埃を掃き取る掃除用刷毛と、フィルタの外側に位置して掃除用刷毛で掃き取られた塵埃を除去して回収する除去回収手段とを備えている。
一般的なフィルタは、空気中の塵埃を捕集する樹脂繊維網とこれを支えるフィルタ枠で構成されている。
【先行技術文献】
【特許文献】
【０００４】
【特許文献１】特開２００９−１９８７３号公報
【発明の概要】
【発明が解決しようとする課題】
【０００５】
ところで、特許文献１の空気調和機では、自動掃除の動作回数を減らす為の手段として、１度に掃除用刷毛から塵埃を取り除く量を多くするため塵埃除去ブラシ面の面積を拡大するという方策がある。
この場合、除去ブラシの胴体外径を大きくすると、除去ブラシが大きくなった分、周囲の部品の配置スペースが大きくなり、機体の大型化につながる。
【０００６】
他方、塵埃除去ブラシ面の面積を拡大するため、除去ブラシに近接して設けられる塵埃除去部材の傾きを大きくすると、除去ブラシの支持部材の型抜きがスムーズに行えないという問題が発生する。
【０００７】
本発明は上記実状に鑑み、除去ブラシの大きさを大きくすることなく塵埃を収集する量を多くすることができる空気調和機の提供を目的とする。
【課題を解決するための手段】
【０００８】
上記目的を達成すべく、本発明に関わる空気調和機は、空気吸込み口および空気吹出し口を有する筐体と、前記筐体内に配置された熱交換器と、前記熱交換器の空気吸込み側に配置されたフィルタと、室内の空気を前記空気吸込み口より吸い込んで前記フィルタおよび前記熱交換器を通して前記空気吹出し口より吹出す送風ファンと、前記フィルタに捕集された塵埃を除去する清掃装置とを、備えた空気調和機であって、前記清掃装置は、前記フィルタに沿って移動して当該フィルタに捕集された塵埃を掃き取る掃除用刷毛と、前記掃除用刷毛で掃き取られた塵埃を除去して回収する除去回収手段とを備え、前記除去回収手段は、前記掃除用刷毛で掃き取られた塵埃を受け取る除去ブラシ面部を有する半円筒状の除去ブラシと、前記除去ブラシにその外方に位置して設けられ前記掃除用刷毛の奥側の塵埃を前記除去ブラシの回動により掻き取る塵埃除去部材と、前記掃除用刷毛を前記除去ブラシの除去ブラシ面部に摺接させる刷毛摺接手段と、前記除去ブラシ面部に受け取られた塵埃を前記除去ブラシの回動により掻き取る塵埃戻り防止ブラシと、前記除去ブラシの除去ブラシ面部を前記塵埃戻り防止ブラシ側に回動させて前記除去ブラシ面部を前記塵埃戻り防止ブラシに摺接させるブラシ摺接手段と、前記塵埃戻り防止ブラシで掻き取られた塵埃を貯留する集塵部とを備え、前記塵埃除去部材は、前記除去ブラシ面部の面積が大きくなるように、その中心線が前記除去ブラシの回動中心を通る位置から平行にずらして配置されている。
【発明の効果】
【０００９】
本発明によれば、除去ブラシの大きさを大きくすることなく、塵埃を収集する量を多くすることができる。
【図面の簡単な説明】
【００１０】
【図１】本発明に係る実施形態の空気調和機の構成図である。
【図２】図１の実施形態の室内機の側断面図(図１のＦ−Ｆ線断面図)である。
【図３】図１の実施形態の室内機の前面パネルを外した内部正面図である。
【図４】(ａ)は図１の室内機のフィルタの清掃装置の斜視図、(ｂ)は清掃装置の集塵容器の斜視図であり、(ｃ)は掃除用刷毛の斜視図である。
【図５】(ａ)は図４(ａ)のＧ−Ｇ線断面図、(ｂ)は図４(ａ)のＨ方向矢視図である。
【図６】実施形態の上部の除去ブラシおよびブラシホルダの周辺を示す斜視図である。
【図７】(ａ)は図６(ａ)のＩ−Ｉ線断面図であり、(ｂ)は除去ブラシ３０が除去した塵埃を落としている状態の図６(ａ)のＩ−Ｉ線断面図である。
【図８】図１の室内機の清掃装置の全体動作を示す図である。
【図９】(ａ)は比較例(従来機)の図６(ａ)のＩ−Ｉ線断面のブラシ機構の概要図であり、(ｂ)は第１比較例(従来機)の対策を施したＩ−Ｉ線断面のブラシ機構の概要図であり、(ｃ)は第２比較例(従来機)の対策を施したＩ−Ｉ線断面のブラシ機構の概要図である。
【図１０】(ａ)は第２比較例(従来機)の塵埃除去部材と除去ブラシとの関係を示した図であり、(ｂ)は第２比較例(従来機)の除去ブラシとこれを成形する型との関係を示した図である。
【図１１】(ａ)は実施形態の塵埃除去部材と除去ブラシとの関係を示した図であり、(ｂ)は除去ブラシとこれを成形する型を抜く方向を示した図である。
【発明を実施するための形態】
【００１１】
以下、本発明の実施形態について添付図面を参照して説明する。
まず、実施形態の空気調和機１の全体構成を説明する。
図１は本発明に係る実施形態の空気調和機１の構成図である。
実施形態の空気調和機１は、室内の空気と冷凍サイクルの冷媒との熱交換を行う室内機２と、外気と冷媒との熱交換を行う室外機４とを、冷媒が流れる接続配管５で繋いでいる。
【００１２】
空気調和機１は、ユーザによるリモコン３の室内機２に向けての操作指令により、室内機２で室内の空気と冷凍サイクルの冷媒との熱交換を行い、室内の空気調和を行う。
図２は図１の室内機２の側断面図(図１のＦ−Ｆ線断面図)である。
室内機２は、筐体６の中央部に室内熱交換器１１が配設され、室内熱交換器１１の下方に室内熱交換器１１の幅と略等しい長さの貫流ファン方式の送風ファン４３が配設される。また、室内機２における室内熱交換器１１の下方には、室内熱交換器１１の露付き水(凝縮水)を受ける露受皿１２が取り付けられている。
【００１３】
送風ファン４３は、水平方向(図２の紙面に垂直方向)に延在する回転軸廻りに回転自在に設けられている。
これら室内熱交換器１１、送風ファン４３、露受皿１２等が、その上面、下面、左右側面を化粧枠７で覆われ、化粧枠７の前面側には前面パネル８が取り付けられている。化粧枠７、前面パネル８等で筐体６を構成している。
【００１４】
前面パネル８には、空気調和機１の運転時に、室内の空気を室内機２内に吸い込むため、前側空気吸込み部１４’を開く可動パネル２４が下部の支持軸廻りに揺動可能に取り付けられている。
化粧枠７には、上面板に室内の空気を吸い込む上側空気吸込み部１４が設けられ、下面板側に温湿度が調和された空気を吹出す空気吹出し口１０が設けられている。
【００１５】
室内機２においては、送風ファン４３からの吹出し気流を、送風ファン４３の長さに略等しい幅を持つ吹出し風路４０に流し、吹出し風路４０の途中に設けた左右風向板４２を左右方向(水平方向)に揺動することにより気流の左右方向を偏向し、そして、下流の吹出し口４０に設けた上下風向板４１(４１ａ、４１ｂ)を上下方向(鉛直方向)に揺動することにより、気流の上下方向を偏向して室内に吹出している。
【００１６】
室内熱交換器１１は、アルミニウム製の複数枚のフィンと、これらフィンに穿設された穴に挿入された冷媒が流れる冷媒管により形成されている。フィンとフィンの間隔は微小隙間となっており、この間を室内の空気流が通風することで冷媒管内の冷媒と室内の空気との間で熱交換が行われる。
【００１７】
室内熱交換器１１は、送風ファン４３の吸込み側の上側空気吸込み部１４および前側空気吸込み部１４’の側に配置され、側方視で略逆Ｖ字状に形成されている。
室内熱交換器１１の空気流上流には、室内の空気に含まれる塵埃を捕集するため、上部の上側空気吸込み部１４に対向してフィルタ１５が設けられるとともに、前部の前側空気吸込み部１４’に対向してフィルタ１５’が設けられている。
【００１８】
フィルタ１５、１５’は、吸い込まれた室内の空気中に含まれる塵埃を取り除くためのものであり、室内熱交換器１１の吸込み側の前側空気吸込み部１４’、上側空気吸込み部１４を覆うように配置されている。
室内熱交換器１１の空気流下流には送風用の送風ファン４３が設けられている。
送風ファン４３は水平方向に延在する横長の貫流ファンで構成され、室内の空気を、図２に示す上側空気吸込み部１４および前側空気吸込み部１４’から吸い込んで、下部の空気吹出し口１０から吹出すように室内機２内の中央に配置されている。
【００１９】
送風ファン４３が回転すると、室内の空気が、室内機２に設けられた上側空気吸込み部１４および可動パネル２４が開いた前側空気吸込み部１４’から吸込まれ、フィルタ１５、１５’、室内熱交換器１１、送風ファン４３を通って、吹出し風路４０を流れ、空気吹出し口１０から吹出される。
露受皿１２は、室内熱交換器１１の前後両側の下端部下方に配置され、冷房運転時や除湿運転時に室内熱交換器１１に付着する凝縮水を受けるために設けられている。露受皿１２で受けて集められた凝縮水は、ドレン配管１３(図１参照)を通して室外に排出される。
【００２０】
このように、室内機２には、送風ファン４３、上部のフィルタ１５、前部のフィルタ１５’、室内熱交換器１１、露受皿１２、上下風向板４１、左右風向板４２等の基本的な内部構造体が取り付けられている。
そして、これらの基本的な内部構造体は、室内機２の前面、後面を除く周囲に化粧枠７を取り付けることにより、室内機２内に内包される。
【００２１】
また、図１に示す前面パネル８の下部側には、運転状況を表示する表示部４５と、別体のリモコン３からの赤外線の操作信号を受ける受光部４４とが配置されている。
化粧枠７の下面に形成される空気吹出し口１０は、図２に示すように、下面の化粧枠７と前面パネル８との分割部に隣接して配置され、奥の吹出し風路４０に連通している。
２枚の上下風向板４１(４１ａ、４１ｂ)は、閉鎖状態では、吹出し風路４０をほぼ閉塞して室内機２の底面に連続する大きな曲面を有するように構成されている。
【００２２】
上下風向板４１は、両端部に設けた回動軸を支点にして、リモコン３からの指示に応じて、駆動モータ(図示せず)により空気調和機１の運転時に所要の角度回動して空気吹出し口１０を開き、その状態に保持される。空気調和機１の運転停止時には、上下風向板４１は空気吹出し口１０を閉じるように制御される。
【００２３】
左右風向板４２は、下端部に設けた回動軸を支軸にして駆動モータ(図示せず)により左右方向(水平方向)に回動される。左右風向板４２は、リモコン３からの指示に応じて左右方向に回動されてその状態に保持される。これにより、左右風向板４２の左右方向の回動によって、室内機２からの吹出し空気が左右(水平方向)の所望の方向に吹出される。
なお、ユーザがリモコン３から室内機２に指示することにより、空気調和機１の運転中に上下風向板４１、左右風向板４２をそれぞれ上下方向(鉛直方向)、左右方向(水平方向)に周期的に揺動させ、室内の広範囲に周期的に吹出し空気を送ることもできる。
【００２４】
図２に示すように、前面パネル８を構成する可動パネル２４は、下部に設けた回動軸を支点として駆動モータにより回動され、空気調和機１の運転時に前側空気吸込み部１４’を開くように構成されている。これによって、室内の空気は、運転時に、上部の上側空気吸込み部１４に加えて、可動パネル２４が回動され開いた前側空気吸込み部１４’からも室内機２内に吸引される。空気調和機１の停止時には、可動パネル２４が回動され前側空気吸込み部１４’を閉じるように制御される。
【００２５】
室内機２は、運転停止時には、空気吹出し風路４０および前側空気吸込み部１４’を上下風向板４１および可動パネル２４で閉塞して室内機２のインテリアに調和させている。
つまり、室内機２は、運転停止時に、可動パネル２４が図２の二点鎖線で示すように閉鎖された状態となるとともに、上下風向板４１(４１ａ、４１ｂ)が図２の実線で示すように閉鎖された状態となる。
【００２６】
一方、運転時には、室内機２は、上下風向板４１(４１ａ、４１ｂ)、左右風向板４２をリモコン３からの指示に応じて、それぞれ上下方向(鉛直方向)、左右方向(水平方向)に回動させるとともに、可動パネル２４を開いて(図２参照)、送風ファン４３を運転することで、前側空気吸込み部１４’および上側空気吸込み部１４から室内の空気を吸込む。そして、室内の空気を、フィルタ１５、１５’を通すことにより塵埃を捕集し、室内熱交換器１１で冷媒と熱交換させて冷風または温風にする。そして、冷風または温風の室内の空気を、吹出し風路４０を通して、下部の空気吹出口１０から吹出す。
【００２７】
＜室内機２におけるフィルタ１５、１５の清掃装置Ｓ＞
次に、室内機２におけるフィルタ１５、１５で捕集した塵埃の清掃を行う清掃装置Ｓについて説明をする。
図２に示すように、室内熱交換器１１の上流側に上側空気吸込み部１４および前側空気吸込み部１４’が形成されている。
上側空気吸込み部１４は、室内機２の上部に略水平方向(図２の紙面に垂直方向)に配置され、前側空気吸込み部１４’は室内機２の前部に略垂直方向(図２の紙面の上下方向)に配置され、これらは室内機２における直交する二面を構成している。
【００２８】
図３は図１の室内機２の前面パネル８を外した内部正面図である。
前記したように、上側空気吸込み部１４および前側空気吸込み部１４’に対向して、それぞれ平面状のフィルタ１５、１５’を設けている。
図４(ａ)は室内機２のフィルタ１５、１５’の清掃装置の斜視図、図４(ｂ)は清掃装置の集塵容器３７の斜視図であり、図４(ｃ)は清掃装置の掃除用刷毛２７、２７’の斜視図である。
【００２９】
フィルタ１５、１５’は、それぞれ格子状の案内枠１６に係着されている。図２、図４(ａ)に示すように、案内枠１６は、上側後部と前側下部にそれぞれレール１７、１７’を備え、フィルタ１５、１５’の交叉部(室内機２の前上部)に推進軸２１(図４(ａ)参照)を備えている。
なお、上側のフィルタ１５用と、前側のフィルタ１５’用とに同一の機能を有する部分がある場合、前側のフィルタ１５’用の構成要素に上側のフィルタ１５用の構成要素の符号に「’」をつけて区別する。
【００３０】
図４(ａ)に示す推進軸２１は、多角形横断面を有し、案内枠１６の両側に設けた軸受２３に軸支されている。推進軸２１は、片側の軸受２３を貫通し、一端に取り付けた歯車を介して移動用モータ２０に連結されている。移動用モータ２０は案内枠１６に固定されている。推進軸２１には、スクリュウ２２、キャリッジ２５が装着されている。スクリュウ２２は、案内枠１６に設けられたラック１８に噛合わされている。案内枠１６に設けられたラック１８は推進軸２１と平行に設けられている。
【００３１】
図２、図４(ａ)に示すキャリッジ２５と上部奥方のレール１７、前下部のレール１７’との間には、それぞれ、上部の刷毛支持枠２６、前部の刷毛支持枠２６’が、各々上部のフィルタ１５、前部のフィルタ１５’を跨いで懸架されている。
上部の刷毛支持枠２６のフィルタ１５側にはフィルタ１５を掃いて掃除する掃除用刷毛２７(図４(ａ)中、破線で示す)が取り付けられている。
【００３２】
同様に、前部の刷毛支持枠２６’のフィルタ１５’側にはフィルタ１５’を掃いて掃除する掃除用刷毛２７’(図４(ａ)中、破線で示す)が取り付けられている。
図５(ａ)は図４(ａ)のＧ−Ｇ線断面図、図５(ｂ)は図４(ａ)のＨ方向矢視図である。
図６は、上部の除去ブラシ３０およびブラシホルダ３３の周辺を示す斜視図である。
【００３３】
図４(ａ)に示すように、上部の掃除用刷毛２７が掃除した塵埃を除去する除去ブラシ３０は、上部のフィルタ１５の一側端部に設けられる上部のブラシホルダ３３(図５(ａ)、図６(ａ)参照)に装着されている。
同様に、前部の掃除用刷毛２７’が掃除した塵埃を除去する除去ブラシ３０’は、前部のフィルタ１５’の一側端部に設けられる前部の筒状のブラシホルダ３３’(図５(ｂ)参照)に装着されている。
【００３４】
図７(ａ)は、図６(ａ)のＩ−Ｉ線断面図であり、図７(ｂ)は、除去ブラシ３０が除去した塵埃を落としている状態を示す図６(ａ)のＩ−Ｉ線断面図である。
図６に示す除去ブラシ３０は、図７(ａ)に示すように、半円筒状をなしており、断面矩形状の筒状のブラシホルダ３３に回動可能に軸支されている。除去ブラシ３０は、戻しばね３４により反時計回り(図７(ａ)の矢印α１方向)に付勢されている。
除去ブラシ３０の半円筒面の一方側の約半分は傾斜植毛された除去ブラシ面部３０ａとなっており、他方側の約半分は非ブラシ面部３０ｂとなっている。除去ブラシ面部３０ａの傾斜植毛の方向は、図７(ａ)に示すように除去ブラシ３０が戻しばね３４により反時計回り(図７(ａ)の矢印α１方向)に回動されて除去ブラシ面部３０ａを露出させた状態で、フィルタ１５が配置される方向を向くように傾斜されている。
【００３５】
図６、図７(ａ)に示すように、除去ブラシ３０には、除去ブラシ面部３０ａに摺接しなかった掃除用刷毛２７の根元に近い部分の塵埃を掃き取るために、塵埃除去部材３０ｅが除去ブラシ３０に取り付けられている。塵埃除去部材３０ｅは、例えば、ゴム等の弾性を有する材料で形成され、除去ブラシ面部３０ａ近くの非ブラシ面部３０ｂに、円筒状面をもつ除去ブラシ面部３０ａより外方に突出する態様で取り付けられている。
図６、図７(ａ)に示すように、塵埃除去部材３０ｅは、除去ブラシ３０と略同じ幅寸法を有するとともに、除去ブラシ面部３０ａより外方に突出した箇所が薄片状に形成されている。
【００３６】
除去ブラシ３０の一方の外側方には、除去ブラシ３０を動作させるための回動レバー３０ｃが設けられている。
回動レバー３０ｃは、除去ブラシ３０と同軸に回動するように、レバーばね３０ｄにより時計回りの方向(図７(ａ)の矢印α２方向))に付勢されているとともに、除去ブラシ３０に回動レバー３０ｃの回動軌道に突出して設けられる円柱状のストッパ３０ｆに当接するように構成されている。
【００３７】
この構成により、回動レバー３０ｃがストッパ３０ｆに当接することにより、ストッパ３０ｆと一体の除去ブラシ３０が、回動レバー３０ｃと連動して回動する構成である。
除去ブラシ３０、３０’および回動レバー３０ｃ、３０ｃ’が取り付けられるブラシホルダ３３、３３’は、それぞれ、図４(ｂ)に示す集塵容器３７の開口面３８ａ、３８ａ’に連通して、集塵容器３７に固定されている。
【００３８】
図４(ａ)に示すように、上部の除去ブラシ３０、回動レバー３０ｃ、およびブラシホルダ３３と、前部の除去ブラシ３０’、回動レバー３０ｃ’、およびブラシホルダ３３’と、集塵容器３７とで構成された集塵除去組み立て体Ｓ１は、上部の掃除用刷毛２７、前部の掃除用刷毛２７’およびその駆動機構と分離して、室内機２の一方の側面に沿って、上部のフィルタ１５、前部のフィルタ１５’の一側方に配置されている。
これによって、掃除用刷毛２７、２７’を小型にすることができ、掃除用刷毛２７、２７’の移動に必要な空間を小さくできる。また、室内機２の全体のスペースファクタを良好にしつつ、集塵容器３７の容積を大きく確保することが可能である。
【００３９】
＜清掃装置Ｓのフィルタ１５、１５’の清掃動作＞
次に、室内機２のフィルタ１５、１５’を清掃する清掃装置Ｓの清掃動作について説明する。
図８は、室内機２の清掃装置Ｓの全体動作を示す図である。図８では、代表して、上部のフィルタ１５を掃除する上部の掃除用刷毛２７の動作を示している。なお、前部のフィルタ１５’を掃除する前部の掃除用刷毛２７’の動作は上部の掃除用刷毛２７の動作と同様であるから、前部の掃除用刷毛２７’の動作は、図示および説明を省略する。
【００４０】
図８に示すように、フィルタ１５の一側方に設けられる集塵除去組み立て体Ｓ１の反対側(フィルタ１５の他側方)には、清掃動作が行われていないときに、掃除用刷毛２７が待機する待機部１９が設けられている。待機部１９は、図８のＥ部に示す如く、フィルタ１５の面より窪んだ凹所１６Ｅが設けられ、図８のＤ部に示す如く、フィルタ１５に摺接して曲げられた掃除用刷毛２７が、図８のＥ部において、開放されて真直ぐな状態に復元できる構成である。
【００４１】
これにより、図８のＥ部で、掃除用刷毛２７が待機している間、掃除用刷毛２７に曲げる力が働かず、掃除用刷毛２７に曲げ癖が付かない。また、フィルタ１５の掃除で移動したとき(図８のＢ部、Ｃ部、Ｄ部)に、フィルタ１５の網目で捻られたりして生ずる毛先の変形も復元して整えられる。
【００４２】
以下、刷毛支持枠２６の掃除用刷毛２７で上部のフィルタ１５を清掃する動作について詳述する。
刷毛支持枠２６の図８のＥ部から図８のＣ部、Ｂ部への移動に伴って、掃除用刷毛２７が、フィルタ１５に摺接して掃き集めたフィルタ１５上の塵埃を、図８のＢ部からＡ部に移行することで除去ブラシ面部３０ａに擦り付ける。この際に、掃除用刷毛２７の移動方向(図８中、白抜き矢印で示す)と除去ブラシ面部３０ａの傾斜植毛の方向(図８の除去ブラシ面部３０ａに示す線方向)が逆方向になるので、除去ブラシ面部３０ａは掃除用刷毛２７が運んできた塵埃を確実に掻き取り、除去ブラシ面部３０ａに保持する。
【００４３】
刷毛支持枠２６の掃除用刷毛２７の一側には、刷毛押え２８が配置されている。刷毛押え２８は、掃除用刷毛２７の過度の変形を抑制し、掃除用刷毛２７のフィルタ１５を掃除する機能を低下させないためのものである。
刷毛支持枠２６が図８のＢ部からＡ部に移動すると、刷毛支持枠２６に一体に設けられるレバー突起２９が、除去ブラシ３０に取り付けられた回動レバー３０ｃを左方に押す。
【００４４】
詳細には、回動レバー３０ｃは、刷毛支持枠２６の図８のＢ部からＡ部への移動により、刷毛支持枠２６のレバー突起２９に押されて、反時計方向(図７(ａ)、図８のα３方向)に回動されレバー突起２９の軌道の下方に位置し、レバー突起２９が回動レバー３０ｃを乗り越える。
【００４５】
これによって、回動レバー３０ｃは、刷毛支持枠２６のレバー突起２９に押されないので、レバーばね３０ｄ(図７(ａ)参照)の付勢力によって時計方向(図７(ａ)、図８のα２方向)に逆回動して除去ブラシ３０のストッパ３０ｆのところまで戻り、図７(ａ)の位置になる。
刷毛支持枠２６はレバー突起２９が回動レバー３０ｃを乗り越えたところ(図８のＡ部)で反転して、フィルタ１５の方向に移動を始める。
【００４６】
図８のＡ部で反転してフィルタ１５の方向に移動する刷毛支持枠２６は、図７(ｂ)に示すように、レバー突起２９で回動レバー３０ｃを右方向(フィルタ１５が在る方向)に押し、回動レバー３０ｃを時計回り方向(図７(ｂ)のα２方向)に回動させる。これにより、回動レバー３０ｃは除去ブラシ３０のストッパ３０ｆを介して除去ブラシ３０を、時計回り方向(図７(ｂ)のα４方向)に押し、除去ブラシ３０は戻しばね３４による反時計回り方向(図７(ｂ)のα１方向)の付勢力に抗して回動する。
【００４７】
除去ブラシ３０の図７(ｂ)のα４方向の回動に伴い、除去ブラシ面部３０ａが塵埃戻り防止ブラシ３２の塵埃戻り防止ブラシ面部３２ａに摺接しながらブラシホルダ３３の内部に潜り込む。このとき、塵埃戻り防止ブラシ面部３２ａは押圧ばね３５で除去ブラシ面部３０ａに押圧されているので、除去ブラシ面部３０ａと塵埃戻り防止ブラシ面部３２ａの摺接状態が常に保たれている。塵埃戻り防止ブラシ３２の塵埃戻り防止ブラシ面部３２ａには除去ブラシ面部３０ａと摺接する位置で除去ブラシ面部３０ａの傾斜植毛の傾斜方向と同じ向きに傾斜植毛が施されている。このため、除去ブラシ面部３０ａがブラシホルダ３３の内部に潜り込む時に、除去ブラシ面部３０ａに保持された塵埃も、塵埃戻り防止ブラシ面部３２ａの傾斜植毛に妨げられることなくブラシホルダ３３の内部に潜り込む。
【００４８】
一方、回動レバー３０ｃは、刷毛支持枠２６のレバー突起２９に押されて、図７(ｂ)のように時計方向(矢印α２方向)に回動され回動レバー３０ｃがレバー突起２９の軌道の下方に位置し、レバー突起２９が回動レバー３０ｃを乗り越える。レバー突起２９が回動レバー３０ｃを乗り越えると、レバー突起２９による回動レバー３０ｃへの押す力が無くなるので、除去ブラシ３０は、図７(ａ)に示すように、戻しばね３４の付勢力によって反時計方向(図７(ａ)の矢印α１方向)に回動し、塵埃除去部材３０ｅがブラシホルダ３３の開口縁３３ｅに当たり、この開口縁３３ｅがストッパ代わりとなって、図７(ａ)と同じ状態になる。
【００４９】
このように、除去ブラシ３０が反時計方向(図７(ｂ)の矢印α１方向)に回動するときに、塵埃戻り防止ブラシ面部３２ａの傾斜植毛の方向が除去ブラシ３０の回動方向と逆になるので、除去ブラシ３０の除去ブラシ面部３０ａに保持されていた塵埃は塵埃戻り防止ブラシ面部３２ａに掻き取られる。
その後、除去ブラシ３０、塵埃除去部材３０ｅ、および回動レバー３０ｃは、図７(ａ)の状態で、掃除用刷毛２７がフィルタ１５から補集した塵埃を運んでくるのに備えて待機する。
【００５０】
この掻き取られた塵埃は、塵埃戻り防止ブラシ面部３２ａの傾斜植毛部に大部分が絡み付いて保持される。しかし、掃除用刷毛２７が次に、図８のＡ部、Ｂ部間を往復すると、除去ブラシ３０の除去ブラシ面部３０ａと塵埃戻り防止ブラシ３２が再度摺接する。このとき、新たな塵埃がブラシホルダ３３の内部に潜り込むとともに、塵埃戻り防止ブラシ面部３２ａの傾斜植毛部に絡み付いている塵埃を除去ブラシ面部３０ａの内方端部が掻き取って、除去ブラシ面部３０ａの内部に潜り込ませる。
【００５１】
この除去ブラシ面部３０ａの内部に潜り込んだ塵埃は、図７(ａ)のように除去ブラシ３０が元の状態に戻るときに、再度、塵埃戻り防止ブラシ面部３２ａに掻き取られる。このように、塵埃戻り防止ブラシ面部３２ａの内方端部に掻き取られた塵埃は、掃除用刷毛２７の往復に伴う、除去ブラシ３０の回動毎に、ブラシホルダ３３の下方の集塵容器３７(図４(ｂ)参照)の内部に落下する。ブラシホルダ３３は底部が開口していて(図７参照)、ブラシホルダ３３の底部開口は集塵容器３７の集塵開口３８ａに対向している。
【００５２】
一方、刷毛支持枠２６の掃除用刷毛２７は、図８のＤ部のように、清掃時とは逆向きに毛先を変形させてフィルタ１５に摺接しながら移動し、待機部１９に向かい、図８のＥ部の待機部１９において、フィルタ１５の次回の清掃まで待機する。
このように、掃除用刷毛２６は往復で毛先の曲げ方向が逆になるので、片方向でしか摺接させない時に比べて、曲げの癖が付き難く、毎回、フィルタ１５を押す力を一定にすることができる。このため、フィルタ１５を清掃する能力を長期間維持することができる。
【００５３】
＜清掃装置Ｓのブラシ機構＞
次に、図４(ａ)に示す清掃装置Ｓの除去ブラシ３０、３０’を含むブラシ機構について説明する。なお、上部の除去ブラシ３０を含むブラシ機構と、前部の除去ブラシ３０’を含むブラシ機構とは同じ構成であるので、上部の除去ブラシ３０を含むブラシ機構について説明を行い、前部の除去ブラシ３０’を含むブラシ機構の説明は省略する。
【００５４】
図９(ａ)は、比較例(従来機)の図６(ａ)のＩ−Ｉ線断面のブラシ機構の概要図であり、図９(ｂ)は、第１比較例(従来機)の対策を施したＩ−Ｉ線断面のブラシ機構の概要図であり、図９(ｃ)は、第２比較例(従来機)の対策を施したＩ−Ｉ線断面のブラシ機構の概要図である。
【００５５】
比較例である従来機のブラシ機構は、図９(ａ)に示す構成である。
図４(ａ)に示す上部の掃除用刷毛２７が摺接する除去ブラシ３０の除去ブラシ面部３０aの面積が大きい程、フィルタ１５を掃除した掃除用刷毛２７が摺接する除去ブラシ面部３０aの面積が大きくなるので、除去ブラシ面部３０aに付着した塵埃が除去ブラシ面部３０aによってより多く除去される。
そこで、第１比較例(従来機)の図９(ｂ)に示すように、除去ブラシ面部３０aの面積を広げるため、除去ブラシ３０の直径を大きくすると、ブラシホルダ３３の幅寸法３３ｓ１が大きくなってしまう。
【００５６】
第２比較例(従来機)は、図９(ｃ)に示すように、塵埃除去部材３０ｅの鉛直線３２ｊに対する取付け角度をθ１からθ２に大きくすることで、除去ブラシ３０の面積を拡大したものである。第２比較例(従来機)では、ブラシホルダ３３の幅寸法３３ｓ２が大きくなる。
また、塵埃除去部材３０ｅの先端長さを、取付け角度の増加分(θ２−θ１)増加する幅寸法３０ｈに見合う分、塵埃除去部材３０ｅの長さ寸法３３ｅsを大きくする必要がある。
【００５７】
図１０(ａ)は、第２比較例(従来機)の塵埃除去部材３０ｅと除去ブラシ３０との関係を示した図であり、図１０(ｂ)は、第２比較例(従来機)の除去ブラシ３０とこれを成形する型との関係を示した図である。
図９(ｃ)に示すように、塵埃除去部材３０ｅの角度θ２を大きくすることによって、傾斜した塵埃除去部材３０ｅの面が、図１０(ａ)に示すように、ブラシホルダ３３に接触することになり、塵埃除去部材３０ｅの中心線３０ｋが鉛直線３２ｊ(金型ｋ３、ｋ４の抜き方向(図１０(ｂ)参照))に対して大きく傾斜する。
【００５８】
このように、塵埃除去部材３０ｅの中心線３０ｋが鉛直線３２ｊに対して大きく傾斜し鉛直線３２ｊと平行でなくなることから、型アンダｋ９が形成され、金型ｋ３、ｋ４の加工が複雑になる。また、金型ｋ３、ｋ４で成形した除去ブラシ３０の金型ｋ３、ｋ４からの取外し(図１０(ｂ)の白抜き矢印)がスムーズでなくなる。
【００５９】
これに対して、本実施形態は、第１比較例(従来機)の図９(ｂ)に示すブラシホルダ３３の幅寸法３３ｓ１が大きくなること、および、図９(ｃ)、図１０の第２比較例(従来機)の金型ｋ３、ｋ４の加工の複雑さ、金型ｋ３、ｋ４の取外しがスムーズでないことを、構造を変えることによって解決したものである。
【００６０】
図１１(ａ)は、実施形態の塵埃除去部材３０ｅと除去ブラシ３０との関係を示した図であり、図１１(ｂ)は、除去ブラシ３０とこれを成形する型を抜く方向を示した図である。
本実施形態では、図１１(ａ)に示すように、塵埃除去部材３０ｅの厚み方向の中心線３０ｋが除去ブラシ３０の回動中心３２ｇを通る位置から、中心線３０ｋを平行または略平行に移動させて塵埃除去部材３０ｅを配置する。これにより、ブラシホルダ３３の幅寸法３３ｓが大きくなるのを抑制され、除去ブラシ面部３０ａの面積が拡大できる。
【００６１】
塵埃除去部材３０ｅを、厚み方向の中心線３０ｋが除去ブラシ３０の回動中心３２ｇを通る位置から平行移動または略平行移動した形状にすることで、図１１(ｂ)に示すように、塵埃除去部材中心線３０ｋを、除去ブラシ３０の金型ｋ１、ｋ２を抜く方向の鉛直線３２ｊと同方向(図１１(ｂ)の白抜き矢印)に変更でき、金型ｋ１、ｋ２の取外しをスムーズにすることができる。
【００６２】
これにより、フィルタ１５、１５’から収集された塵埃を受け取る除去ブラシ３０、３０’の除去ブラシ面部３０ａ、３０ａ’の表面積を、除去ブラシ３０、３０’の胴体外径を変えることなく拡大し、塵埃の収集能力を向上できる。
【００６３】
なお、除去ブラシ面部３０ａ、３０ａ’の面積は、従来より、２割〜４割程度広げられるので、例えば、除去ブラシ面部３０ａ、３０ａ’の面積を２割広げられるとした場合、従来、掃除用刷毛２７、２７’を除去ブラシ３０、３０’の除去ブラシ面部３０ａ、３０ａ’に１２０回摺接させねばならなかったのが、１００回程度の摺接で済むことになる。
【符号の説明】
【００６４】
１      空気調和機
６      筐体
７      化粧枠(筐体)
８      前面パネル(筐体)
１０    空気吹出し口
１１    室内熱交換器(熱交換器)
１４    上側空気吸込み部(空気吸込み口)
１４’  前側空気吸込み部(空気吸込み口)
１５、１５’  フィルタ
１７、１７’  レール(刷毛摺接手段)
１８    ラック(刷毛摺接手段)
２０    移動用モータ(刷毛摺接手段)
２１    推進軸(刷毛摺接手段)
２２    スクリュウ(刷毛摺接手段)
２４    可動パネル(筐体)
２５    キャリッジ(刷毛摺接手段)
２６、２６’  刷毛支持枠(刷毛摺接手段)
２７、２７’  掃除用刷毛
２９、２９’  レバー突起(ブラシ摺接手段)
３０、３０’  除去ブラシ
３０ａ、３０ａ’  除去ブラシ面部
３０ｃ、３０ｃ’  回動レバー(ブラシ摺接手段)
３０ｄ、３０ｄ’  レバーばね(ブラシ摺接手段)
３０ｅ、３０ｅ’  塵埃除去部材
３０ｆ、３０ｆ’  ストッパ(ブラシ摺接手段)
３０k、３０k’  塵埃除去部材の中心線
３２、３２’  塵埃戻り防止ブラシ
３２ａ、３２ａ’  塵埃戻り防止ブラシ面部(塵埃戻り防止ブラシ)
３２ｇ、３２ｇ’  回動中心
３４、３４’  戻しばね(ブラシ摺接手段)
３５、３５’  押圧ばね(ブラシ摺接手段)
３７    集塵容器(集塵部)
４３    送風ファン
Ｓ      清掃装置
Ｓ１    集塵除去組み立て体
【図１】
2012112550.tif 000003
【図２】
2012112550.tif 000004
【図３】
2012112550.tif 000005
【図４】
2012112550.tif 000006
【図５】
2012112550.tif 000007
【図６】
2012112550.tif 000008
【図７】
2012112550.tif 000009
【図８】
2012112550.tif 000010
【図９】
2012112550.tif 000011
【図１０】
2012112550.tif 000012
【図１１】
2012112550.tif 000013